(57)【要約】      （修正有）【課題】小型軽量化を図れるＸ線発生装置及び歯科用Ｘ線撮影装置を提供する。【解決手段】外部から入力された電圧をトランス２０で昇圧し、電圧昇圧部はトランス２０で昇圧された電圧を入力し直流電圧に昇圧してＸ線管球に出力して、Ｘ線管球からＸ線を発生する。この電圧昇圧部は、立体化された基板１９の基板立体部２２に構成部品を配置して形成され、Ｘ線管球、トランス２０、及び立体化された基板１９の基板立体部２２に構成部品を配置して形成された電圧昇圧部は、絶縁油で浸漬して収納容器に収納される。【選択図】図３
2015069802.tif 000002
【特許請求の範囲】
【請求項１】
Ｘ線を発生するＸ線管球と、
外部から入力された電圧を昇圧するトランスと、
前記トランスで昇圧された電圧を入力し直流電圧に昇圧し前記Ｘ線管球に出力する電圧昇圧部と、
前記トランス及び電圧昇圧部を絶縁物質で浸漬して収納する収納容器とを備え、
前記電圧昇圧部は、立体化された基板に構成部品を配置して形成されたことを特徴とするＸ線発生装置。
【請求項２】
前記収納容器の外壁に前記収納容器の上端部から下方に延びるひだ状の突起部を形成し、前記突起部の上端部に天板を取り付けるためのねじ穴を形成し、前記ねじ穴にねじを通して前記収納容器に前記天板を取り付けることを特徴とする請求項１記載のＸ線発生装置。
【請求項３】
請求項１または請求項２のＸ線発生装置と、
前記Ｘ線発生装置が一方端に把持され前記Ｘ線発生装置から照射されたＸ線を受光する受光板が他方端に設置された天秤棒状のアームと、
前記アームの一方端と他方端との間に位置する撮影対象の周囲を前記アームの中央部を支点として前記アームを回動させる駆動装置とを備えたことを特徴とする歯科用Ｘ線撮影装置。
【発明の詳細な説明】
【技術分野】
【０００１】
本発明は、Ｘ線管球からＸ線を発生させるＸ線発生装置及び歯科用Ｘ線撮影装置に関する。
【背景技術】
【０００２】
Ｘ線発生装置は、Ｘ線管球のアノード電極とカソード電極との間に高電圧を印加して、Ｘ線管球からＸ線を発生させるものである。Ｘ線管球に高電圧を供給する高電圧発生装置として、交流入力電圧をトランスで昇圧し、さらに、２段以上のコッククロフト・ウォルトン回路で昇圧して高電圧を得るようにし、高電圧検出用抵抗器をコッククロフト・ウォルトン回路における平滑用コンデンサ同士の接続点の内の中間に位置する接続点に接続して、実装面積を小形化すると同時に低コスト化して、歯科用レントゲン装置などのヘッドの小形化を可能にしたものがある（特許文献１参照）。
【先行技術文献】
【特許文献】
【０００３】
【特許文献１】特開平１０−４１０９３号公報
【発明の概要】
【発明が解決しようとする課題】
【０００４】
しかし、Ｘ線管球と電源とを別々に設置すると小型化が図れないので、Ｘ線管球と電源とを一体化して小型化を図ったＸ線発生装置がある。このようなＸ線発生装置では、Ｘ線管球、電源であるトランスや電圧昇圧部（コッククロフト・ウォルトン回路を構成する回路基板）の大きさや配置位置の制約から小型化に限度がある。
【０００５】
本発明の目的は、小型軽量化を図れるＸ線発生装置及び歯科用Ｘ線撮影装置を提供することである。
【課題を解決するための手段】
【０００６】
本発明のＸ線発生装置は、Ｘ線を発生するＸ線管球と、外部から入力された電圧を昇圧するトランスと、前記トランスで昇圧された電圧を入力し直流電圧に昇圧し前記Ｘ線管球に出力する電圧昇圧部と、前記トランス及び電圧昇圧部を絶縁物質で浸漬して収納する収納容器とを備え、前記電圧昇圧部は、立体化された基板に構成部品を配置して形成されたことを特徴とする。
【０００７】
本発明の歯科用Ｘ線撮影装置は、請求項１または請求項２のＸ線発生装置と、前記Ｘ線発生装置が一方端に把持され前記Ｘ線発生装置から照射されたＸ線を受光する受光板が他方端に設置された天秤棒状のアームと、前記アームの一方端と他方端との間に位置する撮影対象の周囲を前記アームの中央部を支点として前記アームを回動させる駆動装置とを備えたことを特徴とする。
【発明の効果】
【０００８】
本発明によれば、小型軽量化を図れるＸ線発生装置及び歯科用Ｘ線撮影装置を提供できる。
【図面の簡単な説明】
【０００９】
【図１】本発明の実施形態に係るＸ線発生装置の斜視図。
【図２】本発明の実施形態に係るＸ線発生装置の内部の概略構成図。
【図３】本発明の実施形態に係るＸ線発生装置の基板１９の斜視図。
【図４】本発明の実施形態に係るＸ線発生装置の他の一例の斜視図。
【図５】本発明の実施形態に係る歯科用Ｘ線撮影装置の構成図。
【発明を実施するための形態】
【００１０】
以下、本発明の実施形態を説明する。図１は本発明の実施形態に係るＸ線発生装置の一例の斜視図である。Ｘ線発生装置の収納容器１１の外壁には、収納容器１１の上端部から下方に延びる複数のひだ状の突起部１２が形成されている。突起部１２の上端部には、収納容器１１の天板１３を取り付けるためのねじ穴が形成されている。このねじ穴にねじ１４を通して収納容器１１に天板１３を取り付ける。図１では、突起部１２は収納容器１１の上端部から下端部まで延びている場合を示しているが、下端部まで延びていなくてもよい。これは、突起部１２は収納容器１１に天板１３を取り付けるためのねじ１４を通すねじ穴が形成できればよいからである。
【００１１】
収納容器１１の正面側にはＸ線管球１５から照射されるＸ線を通すＸ線窓１６が設けられている。また、収納箱１１の上面にはベローズ１７がベローズ押さえ１８にて取り付けられている。収納容器１１内には、トランスや電圧昇圧部が絶縁油などの絶縁物質に浸漬されて収納されており、ベローズ１７は絶縁油の膨張や収縮を吸収するものである。
【００１２】
図２は本発明の実施形態に係るＸ線発生装置の内部の概略構成図であり、図２（ａ）は正面図、図２（ｂ）は側面図である。Ｘ線発生装置は、収納容器１１にＸ線管球１６を収納し、さらに、基板１９に、トランス２０及び電圧昇圧部２１を実装して絶縁油で浸漬して収納容器１１に収納されて構成される。
【００１３】
外部から入力された交流電圧は、基板１９に実装されたトランス２０で昇圧され、基板１９に実装された電圧昇圧部２１に入力されて直流電圧に昇圧される。そして、電圧昇圧部２１は、Ｘ線管球１６のアノード電極とカソード電極との間に高電圧を印加して、Ｘ線管球１６からＸ線を発生させる。
【００１４】
図３は、本発明の実施形態に係るＸ線発生装置の基板１９の斜視図である。図３に示すように、基板１９は立体化された基板立体部２２を有し、この基板立体部２２の内部に、電圧昇圧部２１の構成部品が配置され、電圧昇圧部２１が形成される。電圧昇圧部２１はコッククロフト・ウォルトン回路で構成されている。コッククロフト・ウォルトン回路はコンデンサとダイオードとを多段に接続した回路であり、図３では、コッククロフト・ウォルトン回路の構成部品のコンデンサ２３が基板立体部２２の内部に配置され見える様態を示している。なお、ダイオードも基板立体部２２の内部に配置されているが、基板立体部２２の上部の基板で隠れて見えない状態となっている。
【００１５】
このように、電圧昇圧部２１の構成部品を基板立体部２２の内部に配置し、電圧昇圧部２１を構成したので、平面的な基板と比較して、平面に投影したときの基板１９の広がりを小さくできる。これにより、基板１９を収納する収納容器１１を小さくでき、Ｘ線発生装置の小型化を図ることができる。
【００１６】
図４は、本発明の実施形態に係るＸ線発生装置の他の一例の斜視図である。この図４に示すＸ線発生装置は、図１に示したＸ線発生装置に対し、収納容器１１の一部をＸ線遮蔽部材２４で覆ったものである。すなわち、収納容器１１に収納されたＸ線管球１５が位置する周囲をＸ線遮蔽部材２４で覆い、Ｘ線管球１５から発射されるＸ線をＸ線窓１６から外部に照射し、Ｘ線管球１５からの漏れのＸ線をＸ線遮蔽部材２４で遮断するようにしたものである。これにより、漏れのＸ線が周囲に照射されるのを防止できる。Ｘ線遮蔽部材２４は、例えば鉛板を用いる。
【００１７】
図５は、本発明の実施形態に係る歯科用Ｘ線撮影装置の構成図である。歯科用Ｘ線撮影装置は、例えば、歯科医院のレントゲン室２５に設けられる。レントゲン室２５の天井部に天秤棒状のアーム２６が取り付けられる。天秤棒状のアーム２６は天井部に支点を有し、支点に設けられた駆動装置２７により回動する。すなわち、アーム２６の中央部が支点として回動する。
【００１８】
天秤棒状のアーム２６の一方端には、Ｘ線発生装置２８が把持されている。Ｘ線発生装置２８は、前述した本発明の実施形態に係るＸ線発生装置を用いる。また、天秤棒状のアーム２６の他方端にはＸ線発生装置２８から照射されたＸ線を受光する受光板２９が設置されている。そして、天井部のアーム２６の支点の下方に患者３０が椅子３１に腰掛け、撮影対象である患者３０の頭部の口腔３２がＸ線発生装置２８と受光板２９との間に位置するように高さを調整する。この高さ方向の調整は椅子の高さを調整するようにしてもよいし、アームの上下方向の移動で調整するようにしてもよい。
【００１９】
これにより、アーム２６のＸ線発生装置２８が把持された一方端と、受光板２９が設置された他方端との間に撮影対象が位置することになり、その撮影対象の周囲をアーム２６が回動して患者の歯の状態を周囲方向から撮影する。撮影結果は受光板２９で受光され保存される。
【００２０】
以上のように、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２１】
１１…収納容器、１２…突起部、１３…天板、１４…ねじ、１５…Ｘ線管球、１６…Ｘ線管球、１７…ベローズ、１８…ベローズ押さえ、１９…基板、２０…トランス、２１…電圧昇圧部、２２…基板立体部、２３…コンデンサ、２４…Ｘ線遮蔽部材、２５…、２６…、２７…アーム、２８…Ｘ線発生装置、２９…受光板、３０…口腔、３１…椅子、３２…口腔
【図１】
2015069802.tif 000003
【図２】
2015069802.tif 000004
【図３】
2015069802.tif 000005
【図４】
2015069802.tif 000006
【図５】
2015069802.tif 000007